(57)【要約】【課題】イオンの濃度分布の偏りや界面分極を充分に抑制できるイオントフォレーシス装置を提供する。【解決手段】イオントフォレーシス装置１０は、作用側電極構造体１２がケース１３と、ケース１３内を隔てるように、且つ、その面方向に沿って振動可能であるようにケース１３内に設置された第２イオン交換膜２６と、第２イオン交換膜２６を面方向に加振するための振動子１７と、を備える。【選択図】図３
2007195673.tif 000002
【特許請求の範囲】
【請求項１】
薬液及び電解液の少なくとも一方を収容するためのケースと、該ケース内を隔てるように、且つ、その面方向に沿って振動可能であるように前記ケース内に設置されたイオン交換膜と、前記イオン交換膜を前記面方向に加振するための振動子と、を備えることを特徴とするイオントフォレーシス装置。
【請求項２】
請求項１において、
前記ケースは前記イオン交換膜の端部近傍に貫通孔を有し、前記イオン交換膜は前記貫通孔から前記ケースの外側に突出する突起部を有し該突起部において前記振動子に係合されたことを特徴とするイオントフォレーシス装置。
【請求項３】
請求項２において、
前記薬液及び前記電解液の少なくとも一方が保水性を有する担体に含浸及び含有のいずれかの態様で保持されて前記ケース内に収容されたことを特徴とするイオントフォレーシス装置。
【請求項４】
請求項２又は３において、
前記ケースを第１のケースとして、該第１のケースの貫通孔を外部から遮蔽し、前記振動子及び前記イオン交換膜の突起部を収容する第２のケースを備えることを特徴とするイオントフォレーシス装置。
【請求項５】
請求項１乃至４のいずれかにおいて、
所定の方向に凹凸が連続する、断面が波形の凹凸面を有し前記凹凸が連続する方向が前記イオン交換膜の振動方向に沿うように設置され、且つ、該イオン交換膜の振動方向に進退動可能である第１の凹凸部と、断面が波形の凹凸面を有し該凹凸面が前記第１の凹凸部の凹凸面と噛み合うように設置され、且つ、前記イオン交換膜に連結された第２の凹凸部と、を備え、前記第１の凹凸部の凹凸面と前記第２の凹凸部の凹凸面とが擦れることにより、これら第１の凹凸部及び第２の凹凸部が振動すると共に前記イオン交換膜が振動するように構成されたことを特徴とするイオントフォレーシス装置。
【請求項６】
薬液及び電解液の少なくとも一方を収容するためのケースと、該ケース内を隔てるように該ケース内に設置されたイオン交換膜と、所定の方向に凹凸が連続する、断面が波形の凹凸面を有し前記凹凸が連続する方向に進退動可能である第１の凹凸部と、断面が波形の凹凸面を有し該凹凸面が前記第１の凹凸部の凹凸面と噛み合うように設置された第２の凹凸部と、前記第１の凹凸部を前記凹凸が連続する方向に駆動するための振動子と、を備え、前記第１の凹凸部の凹凸面と前記第２の凹凸部の凹凸面とが擦れることにより、これら第１の凹凸部及び第２の凹凸部が振動するように構成されたことを特徴とするイオントフォレーシス装置。
【請求項７】
請求項５又は６において、
前記第１の凹凸部が前記振動子を兼ねていることを特徴とするイオントフォレーシス装置。
【請求項８】
請求項１乃至７のいずれかにおいて、
イオントフォレーシスにより薬物イオンを投与するための作用側電極構造体を備え、
該作用側電極構造体は、
前記薬物イオンの帯電イオンと同種の極性に接続される作用側電極と、
この作用側電極の前面に配置され、第１電解液が保持されている第１電解液保持部と、
この第１電解液保持部の前面に配置され、前記薬物イオンの帯電イオンと反対の第２導電型のイオンを選択的に通過させる機能を有する第２イオン交換膜と、
この第２イオン交換膜の前面に配置され、前記薬物イオンを含む薬液が保持されている薬液保持部と、
この薬液保持部の前面に配置され、前記薬物イオンの帯電イオンと同種の第１導電型のイオンを選択的に通過させる機能を有する第１イオン交換膜と、
を有してなり、
前記第２イオン交換膜が請求項１乃至７のいずれかに記載のイオン交換膜に相当する
ことを特徴とするイオントフォレーシス装置。
【請求項９】
請求項１乃至８のいずれかにおいて、
イオントフォレーシスにより薬物イオンを投与する際に対電極となる非作用側電極構造体を備え、
該非作用側電極構造体は、
前記薬物イオンの帯電イオンと反対の極性に接続される非作用側電極と、
この非作用側電極の前面に配置され、第２電解液が保持されている第２電解液保持部と、
この第２電解液保持部の前面に配置され、前記薬物イオンの帯電イオンと同種の第１導電型のイオンを選択的に通過させる機能を有する第３イオン交換膜と、
この第３イオン交換膜の前面に配置され、第３電解液が保持されている第３電解液保持部と、
この第３電解液保持部の前面に配置され、前記薬物イオンの帯電イオンと反対の第２導電型のイオンを選択的に通過させる機能を有する第４イオン交換膜と、
を有してなり、
前記第３イオン交換膜が請求項１乃至７のいずれかに記載のイオン交換膜に相当する
ことを特徴とするイオントフォレーシス装置。
【請求項１０】
請求項８において、
所定の方向に凹凸が連続する、断面が波形の凹凸面を有し前記凹凸が連続する方向に進退動可能であるように前記第１イオン交換膜に連結された第１の凹凸部と、断面が波形の凹凸面を有し該凹凸面が前記第１の凹凸部の凹凸面と噛み合うように設置された第２の凹凸部と、を備え、前記第１の凹凸部の凹凸面と前記第２の凹凸部の凹凸面とが擦れることにより、これら第１の凹凸部及び第２の凹凸部が振動すると共に前記第１イオン交換膜も振動するように構成されたことを特徴とするイオントフォレーシス装置。
【請求項１１】
請求項９において、
所定の方向に凹凸が連続する、断面が波形の凹凸面を有し前記凹凸が連続する方向に進退動可能であるように前記第４イオン交換膜に連結された第１の凹凸部と、断面が波形の凹凸面を有し該凹凸面が前記第１の凹凸部の凹凸面と噛み合うように設置された第２の凹凸部と、を備え、前記第１の凹凸部の凹凸面と前記第２の凹凸部の凹凸面とが擦れることにより、これら第１の凹凸部及び第２の凹凸部が振動すると共に前記第４イオン交換膜も振動するように構成されたことを特徴とするイオントフォレーシス装置。
【発明の詳細な説明】
【技術分野】
【０００１】
本発明は、薬物イオンを生体に投与するためのイオントフォレーシス装置に関する。
【背景技術】
【０００２】
皮膚や粘膜から、薬物を生体に浸透させるための方法の一つとしてイオントフォレーシスがある。イオントフォレーシスは、薬液を皮膚や粘膜に当接させた状態で薬液中の薬物イオンと同一導電型の電圧を印加することによって薬物イオンを電気的に駆動して皮膚や粘膜を経由して生体内に移行させるものである。
【０００３】
又、薬物イオンの帯電イオンと同種の導電型のイオンを選択的に通過させる機能を有するイオン交換膜や薬物イオンの帯電イオンと反対の導電型のイオンを選択的に通過させる機能を有するイオン交換膜を備えることで、薬物イオンを効率的に投与するようにしたイオントフォレーシス装置が知られている（例えば、特許文献１参照）。
【０００４】
このようなイオントフォレーシス装置では、通電により薬液中の薬物イオンの濃度分布に偏りが生じたり、電極の表面や皮膚の表面等の界面において分極が生じることがある。尚、イオン交換膜を備えている場合、イオン交換膜の表面でも分極が生じることがある。このような薬物イオンの濃度分布の偏りや界面分極により薬物イオンの効率的な投与が阻害されることがある。
【０００５】
これに対し、薬液等の液体で満たされるケースの内側にセラミックやフッ素化合物フィルム等の超音波振動子を設け、超音波振動により薬物を拡散させたり界面分極を防止するようにしたイオントフォレーシス装置が知られている（例えば、特許文献２参照）。
【０００６】
【特許文献１】特開平４−２９７２７７号公報
【特許文献２】特開平６−７０９８７号公報
【発明の開示】
【発明が解決しようとする課題】
【０００７】
しかしながら、超音波振動子の振動だけではイオンの濃度分布の偏りや界面分極を充分に抑制できないことがある。
【０００８】
又、このイオントフォレーシス装置においては、超音波振動子から離れるにつれて振動が小さくなるため、この点でもイオンの濃度分布の偏りや界面分極を充分に抑制できないことがある。
【０００９】
本発明は、以上の問題に鑑みてなされたものであって、イオンの濃度分布の偏りや界面分極を充分に抑制できるイオントフォレーシス装置を提供することを目的とする。
【課題を解決するための手段】
【００１０】
本発明の各種実施形態例は、薬液及び電解液の少なくとも一方を収容するためのケースと、該ケース内を隔てるように、且つ、その面方向に沿って振動可能であるようにケース内に設置されたイオン交換膜と、イオン交換膜を面方向に加振するための振動子と、を備えるイオントフォレーシス装置を提供する。
【００１１】
又、本発明の各種実施形態例は、薬液及び電解液の少なくとも一方を収容するためのケースと、該ケース内を隔てるように該ケース内に設置されたイオン交換膜と、所定の方向に凹凸が連続する、断面が波形の凹凸面を有し前記凹凸が連続する方向に進退動可能である第１の凹凸部と、断面が波形の凹凸面を有し該凹凸面が前記第１の凹凸部の凹凸面と噛み合うように設置された第２の凹凸部と、前記第１の凹凸部を前記凹凸が連続する方向に駆動するための振動子と、を備え、第１の凹凸部の凹凸面と第２の凹凸部の凹凸面とが擦れることにより、これら第１の凹凸部及び第２の凹凸部が振動するように構成されたイオントフォレーシス装置を提供する。
【００１２】
このように装置内に振動する部分を備えることで、イオン交換膜だけでなく、界面を構成する他の部材にも振動が伝播し、分極を防止することができる。
【００１３】
即ち、以下の各種実施形態例により、上記目的を達成することができる。
【００１４】
（１）薬液及び電解液の少なくとも一方を収容するためのケースと、該ケース内を隔てるように、且つ、その面方向に沿って振動可能であるように前記ケース内に設置されたイオン交換膜と、前記イオン交換膜を前記面方向に加振するための振動子と、を備えることを特徴とするイオントフォレーシス装置。
【００１５】
（２）  （１）において、前記ケースは前記イオン交換膜の端部近傍に貫通孔を有し、前記イオン交換膜は前記貫通孔から前記ケースの外側に突出する突起部を有し該突起部において前記振動子に係合されたことを特徴とするイオントフォレーシス装置。
【００１６】
（３）  （２）において、前記薬液及び前記電解液の少なくとも一方が保水性を有する担体に含浸及び含有のいずれかの態様で保持されて前記ケース内に収容されたことを特徴とするイオントフォレーシス装置。
【００１７】
（４）  （２）又は（３）において、前記ケースを第１のケースとして、該第１のケースの貫通孔を外部から遮蔽し、前記イオン交換膜の突起部及び前記振動子を収容する第２のケースが備えられたことを特徴とするイオントフォレーシス装置。
【００１８】
（５）  （１）乃至（４）のいずれかにおいて、所定の方向に凹凸が連続する、断面が波形の凹凸面を有し前記凹凸が連続する方向が前記イオン交換膜の振動方向に沿うように設置され、且つ、該イオン交換膜の振動方向に進退動可能である第１の凹凸部と、断面が波形の凹凸面を有し該凹凸面が前記第１の凹凸部の凹凸面と噛み合うように設置され、且つ、前記イオン交換膜に連結された第２の凹凸部と、を備え、前記第１の凹凸部の凹凸面と前記第２の凹凸部の凹凸面とが擦れることにより、これら第１の凹凸部及び第２の凹凸部が振動すると共に前記イオン交換膜が振動するように構成されたことを特徴とするイオントフォレーシス装置。
【００１９】
（６）薬液及び電解液の少なくとも一方を収容するためのケースと、該ケース内を隔てるように該ケース内に設置されたイオン交換膜と、所定の方向に凹凸が連続する、断面が波形の凹凸面を有し前記凹凸が連続する方向に進退動可能である第１の凹凸部と、断面が波形の凹凸面を有し該凹凸面が前記第１の凹凸部の凹凸面と噛み合うように設置された第２の凹凸部と、前記第１の凹凸部を前記凹凸が連続する方向に駆動するための振動子と、を備え、前記第１の凹凸部の凹凸面と前記第２の凹凸部の凹凸面とが擦れることにより、これら第１の凹凸部及び第２の凹凸部が振動するように構成されたことを特徴とするイオントフォレーシス装置。
【００２０】
（７）  （５）又は（６）において、前記第１の凹凸部が前記振動子を兼ねていることを特徴とするイオントフォレーシス装置。
【００２１】
（８）  （１）乃至（７）のいずれかにおいて、イオントフォレーシスにより薬物イオンを投与するための作用側電極構造体を備え、該作用側電極構造体は、前記薬物イオンの帯電イオンと同種の極性に接続される作用側電極と、この作用側電極の前面に配置され、第１電解液が保持されている第１電解液保持部と、この第１電解液保持部の前面に配置され、前記薬物イオンの帯電イオンと反対の第２導電型のイオンを選択的に通過させる機能を有する第２イオン交換膜と、この第２イオン交換膜の前面に配置され、前記薬物イオンを含む薬液が保持されている薬液保持部と、この薬液保持部の前面に配置され、前記薬物イオンの帯電イオンと同種の第１導電型のイオンを選択的に通過させる機能を有する第１イオン交換膜と、を有してなり、前記第２イオン交換膜が（１）乃至（７）のいずれかに記載のイオン交換膜に相当することを特徴とするイオントフォレーシス装置。
【００２２】
（９）  （１）乃至（８）のいずれかにおいて、イオントフォレーシスにより薬物イオンを投与する際に対電極となる非作用側電極構造体を備え、該非作用側電極構造体は、前記薬物イオンの帯電イオンと反対の極性に接続される非作用側電極と、この非作用側電極の前面に配置され、第２電解液が保持されている第２電解液保持部と、この第２電解液保持部の前面に配置され、前記薬物イオンの帯電イオンと同種の第１導電型のイオンを選択的に通過させる機能を有する第３イオン交換膜と、この第３イオン交換膜の前面に配置され、第３電解液が保持されている第３電解液保持部と、この第３電解液保持部の前面に配置され、前記薬物イオンの帯電イオンと反対の第２導電型のイオンを選択的に通過させる機能を有する第４イオン交換膜と、を有してなり、前記第３イオン交換膜が（１）乃至（７）のいずれかに記載のイオン交換膜に相当することを特徴とするイオントフォレーシス装置。
【００２３】
（１０）  （８）において、所定の方向に凹凸が連続する、断面が波形の凹凸面を有し前記凹凸が連続する方向に進退動可能であるように前記第１イオン交換膜に連結された第１の凹凸部と、断面が波形の凹凸面を有し該凹凸面が前記第１の凹凸部の凹凸面と噛み合うように設置された第２の凹凸部と、を備え、前記第１の凹凸部の凹凸面と前記第２の凹凸部の凹凸面とが擦れることにより、これら第１の凹凸部及び第２の凹凸部が振動すると共に前記第１イオン交換膜も振動するように構成されたことを特徴とするイオントフォレーシス装置。
【００２４】
（１１）  （９）において、所定の方向に凹凸が連続する、断面が波形の凹凸面を有し前記凹凸が連続する方向に進退動可能であるように前記第４イオン交換膜に連結された第１の凹凸部と、断面が波形の凹凸面を有し該凹凸面が前記第１の凹凸部の凹凸面と噛み合うように設置された第２の凹凸部と、を備え、前記第１の凹凸部の凹凸面と前記第２の凹凸部の凹凸面とが擦れることにより、これら第１の凹凸部及び第２の凹凸部が振動すると共に前記第４イオン交換膜も振動するように構成されたことを特徴とするイオントフォレーシス装置。
【００２５】
尚、本出願において「薬物イオン」という用語は、薬物がイオン解離することによって生じるイオンであって、薬効を担うイオンという意義で用いることとする。
【００２６】
又、本出願において「前面」という用語は、薬物イオンの投与において生体等の投与対象に向けられる側の面という意味で用いることとする。
【発明の効果】
【００２７】
この発明においては、薬液や電解液に接するイオン交換膜が全面において振動することによりイオンの濃度分布の偏りや界面の分極が効果的に抑制される。又、第１の凹凸部の凹凸面と第２の凹凸部の凹凸面とが擦れることにより、薬物イオンの濃度分布の偏りや界面の分極を充分に抑制できる大きな振動が得られる。
【発明を実施するための最良の形態】
【００２８】
以下、本発明の最良の実施形態例について図面を参照して詳細に説明する。
【００２９】
（第１実施形態例）
図１〜図３に示されるように、本発明の第１実施形態例に係るイオントフォレーシス装置１０は、イオントフォレーシスにより薬物イオンを投与するための作用側電極構造体１２と、作用側電極構造体１２から薬物イオンを投与する際に対電極となる非作用側電極構造体１４と、これら作用側電極構造体１２及び非作用側電極構造体１４に異なる極性で接続される電源装置１６と、を備えている。
【００３０】
このイオントフォレーシス装置１０は、作用側電極構造体１２が円筒状のケース１３と、ケース１３内を隔てるように、且つ、その面方向に沿って振動可能であるようにケース１３内に設置された第２イオン交換膜２６と、第２イオン交換膜２６を面方向に加振するための振動子１７と、を備えることを特徴としている。
【００３１】
作用側電極構造体１２は具体的には、薬物イオンの帯電イオンと同種の極性において電源装置１６に接続された作用側電極２２と、この作用側電極２２の前面に配置され、第１電解液が保持されている第１電解液保持部２４と、この第１電解液保持部の前面に配置され、前記薬物イオンの帯電イオンと反対の第２導電型のイオンを選択的に通過させる機能を有する第２イオン交換膜２６と、この第２イオン交換膜２６の前面に配置され、前記薬物イオンを含む電解液が保持されている薬液保持部２８と、この薬液保持部２８の前面に配置され、前記薬物イオンの帯電イオンと同種の第１導電型のイオンを選択的に通過させる機能を有する第１イオン交換膜３０と、を備えている。
【００３２】
作用側電極構造体１２はベースシート１９の前面側においてケース１３内に収容され、その前面側の先端の第１イオン交換膜３０はケース１３の端面に取付けられており、生体等の薬物イオンの投与対象に接触できるようになっている。
【００３３】
一方、非作用側電極構造体１４は、前記薬物イオンの帯電イオンと反対の極性において電源装置１６に接続された非作用側電極３２と、この非作用側電極３２の前面に配置され、第２電解液が保持されている第２電解液保持部３４と、この第２電解液保持部３４の前面に配置され、前記第１導電型のイオンを選択的に通過させる機能を有する第３イオン交換膜３６と、この第３イオン交換膜３６の前面に配置され、第３電解液が保持されている第３電解液保持部３８と、この第３電解液保持部３８の前面に配置され、前記第２導電型のイオンを選択的に通過させる機能を有する第４イオン交換膜４０と、を備えている。
【００３４】
非作用側電極構造体１４もベースシート１９の前面側において、円筒状のケース１５内に収容され、その前面側の先端の第４イオン交換膜４０はケース１５の端面に取付けられており、生体等の薬物イオンの投与対象に接触できるようになっている。
【００３５】
尚、作用側電極構造体１２及び非作用側電極構造体１４のそれぞれの先端の第１イオン交換膜３０及び第４イオン交換膜４０は通電時において、これらの間に直接電流が流れないように一定の隙間を有して設けられている。
【００３６】
又、ベースシート１９における作用側電極２２の後面側には、作用側電極端子２２Ａが設けられ、この作用側電極端子２２Ａは、ベースシート１９に設けたスルーホールを貫通して作用側電極２２に導通している。
【００３７】
同様に、ベースシート１９における非作用側電極３２の後面側には、非作用側電極端子３２Ａが設けられていて、この非作用側電極端子３２Ａも非作用側ベースシート１９に形成されたスルーホールを貫通して非作用側電極３２に導通している。
【００３８】
作用側電極構造体１２のケース１３は、図４に示されるように、第２イオン交換膜２６の端部近傍に貫通孔１３Ａを有している。
【００３９】
第２イオン交換膜２６は、後述の、薬液保持部２８中の薬物イオンの帯電イオンと反対の第２導電型のイオンを対イオンとするイオン交換基が導入されたイオン交換樹脂を含有する膜状体であり、薬液保持部２８に保持されている薬物イオンがカチオンである場合にはアニオン交換樹脂を含有し、逆に、薬物イオンがアニオンである場合にはカチオン交換樹脂を含有する。第２イオン交換膜２６は、図５に示されるように、ケース１３の内径よりも外径が若干小さい略円形であり、ケース１３の貫通孔１３Ａからケース１３の外側に突出する突起部２６Ａを有している。突起部２６Ａの円周方向の幅は、ケース１３の貫通孔１３Ａの円周方向の幅よりも小さく、これにより第２イオン交換膜２６が円周方向に回転振動可能となっている。尚、第２イオン交換膜２６の厚さに対し貫通孔１３Ａの厚さ方向の隙間は僅かに大きい。又、突起部２６Ａには厚さ方向に貫通する貫通孔２６Ｂが形成されている。尚、第２イオン交換膜２６は薄いフィルム状であるので撓ませることで突起部２６Ａをケース１３の貫通孔１３Ａに挿通させてケース１３内に組み込むことができる。
【００４０】
振動子１７は、例えばフッ化ポリビニリデン等の圧電性フィルムの両面に金属薄膜が積層されたフィルム状の部材であり、図６に示されるように、ケース１３の外周に沿うようにケース１３の外側に設置され、基端１７Ａにおいて第１イオン交換膜３０に接着剤等で結合されている。振動子１７は両面の金属薄膜に印加される電圧の大きさの変化に伴ってケース１３の外周に沿って、その面方向に伸縮するようになっている。又、振動子１７の先端１７Ｂの近傍には第２イオン交換膜２６の突起部２６Ａの方向に突出し、貫通孔２６Ｂを挿通する棒状の連結部材２１が取付けられている。振動子１７が伸縮すると、その先端１７Ｂの進退動が連結部材２１を介して第２イオン交換膜２６に伝達され、第２イオン交換膜２６が回転振動するようになっている。
【００４１】
作用側電極２２はカーボン等の薄膜であり、ベースシート１９の前面側に形成されている。例えばカーボンペースト等の非金属導電フィラーが配合された導電塗料を塗布することにより作用側電極２２を形成できる。この作用側電極２２を銅板や金属薄膜によって構成することもできるが、ここから溶出した金属が薬物投与に際して生体に移行することも考えられるので、非金属が好ましい。
【００４２】
第１電解液保持部２４は、例えば、ガーゼや濾紙等の繊維シート、アクリル系樹脂のヒドロゲルやセグメント化ポリウレタン系ゲル等の高分子ゲルシートのような、保水性を有する担体に電解液を含浸又は含有させて構成されている。電解液は、水の電解反応（陽極での酸化及び陰極での還元）よりも酸化又は還元され易い電解質、例えばアスコルビン酸（ビタミンＣ）やアスコルビン酸ナトリウム等の薬物、乳酸、シュウ酸、リンゴ酸、コハク酸、フマル酸等の有機酸及び／又はその塩を含むことが特に好ましく、これにより、酸素ガスや水素ガスの発生を抑制することが可能であり、又、溶媒に溶解した際に緩衝電解液となる組合せの複数種の電解質を配合することにより、通電中におけるｐＨの変動を抑制することもできる。
【００４３】
薬液保持部２８は、ガーゼや濾紙等の繊維シート、アクリル系樹脂のヒドロゲルやセグメント化ポリウレタン系ゲル等の高分子ゲルシートのような、保水性を有する担体にカチオン又はアニオンの薬物イオンに解離する薬物（薬物の前駆体を含む）の溶液を含浸又は含有させて構成されている。カチオンの薬物イオンに解離する薬物としては、ニコチン酸ベンジル、ノニル酸ワリニルアミド等の血行促進の効能を有する薬物やサリチル酸グリコール、サリチル酸メチル等の消炎及び鎮痛の効能を有する薬物を例示することができる。又、アニオンの薬物イオンに解離する薬物としては、ケトプロフェン、インドメタシン、ジクロフェナク、フェルビナク等の消炎及び鎮痛の効能を有する薬物を例示することができる。
【００４４】
第１イオン交換膜３０は、薬液保持部２８中の薬物イオンと同一の第１導電型のイオンを対イオンとするイオン交換基が導入されたイオン交換樹脂を含有する膜状体であり、薬液保持部２８に保持されている薬物イオンがカチオンである場合には、カチオン交換樹脂を含有し、薬物イオンがアニオンである場合にはアニオン交換樹脂を含有する。第１イオン交換膜３０は、外径がケース１３の外径とほぼ等しい略円形であり、一部はケース１３よりも径方向の外側に突出し、振動子１７を支持するベース部３０Ａを構成している。尚、振動子１７はケース１３に直接取付けるようにしてもよい。又、第１イオン交換膜３０と別の部材を介してケース１３に振動子１７を取付けてもよい。このような場合、第１イオン交換膜３０は、イオン交換樹脂を含有する第１のイオン交換塗料を薬液保持部２８に塗布した構成としてもよい。
【００４５】
第２イオン交換膜２６や第１イオン交換膜３０の材料であるカチオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等のカチオン交換基（対イオンがカチオンである交換基）が導入されたイオン交換樹脂等を使用することができる。
【００４６】
又、アニオン交換樹脂としては、上記カチオン交換樹脂と同様の３次元的な網目構造を持つ高分子に、１〜３級アミノ基、４級アンモニウム基、ピリジル基、イミダゾール基、４級ピリジニウム基、４級イミダゾリウム基等のアニオン交換基（対イオンがアニオンである交換基）が導入されたイオン交換樹脂等を使用できる。
【００４７】
非作用側電極構造体１４における非作用側電極３２は、作用側電極２２と同様の構成であり、非作用側電極構造体１４におけるベースシート１９の前面側に設けられている。又、第２電解液保持部３４及び第３電解液保持部３８の構成及び成分も、第１電解液保持部２４と同様である。
【００４８】
第３イオン交換膜３６は、第１イオン交換膜３０と同様に第１導電型のイオンを対イオンとするイオン交換基が導入されたイオン交換樹脂を含有する膜状体であり、第１イオン交換膜３０と同様のイオン交換膜として機能する。尚、第３イオン交換膜３６は、第１導電型のイオンを対イオンとするイオン交換基が導入されたイオン交換樹脂を含有する塗料を第２電解液保持部３４上に塗布した構成としてもよい。
【００４９】
第４イオン交換膜４０は、第２イオン交換膜２６と同様に第２導電型のイオンを対イオンとするイオン交換基が導入されたイオン交換樹脂を含有する膜状体であり、第２イオン交換膜２６と同様のイオン交換膜として機能する。尚、第４イオン交換膜４０も、第２導電型のイオンを対イオンとするイオン交換基が導入されたイオン交換樹脂を含有する塗料を第３電解液保持部３８上に塗布した構成としてもよい。
【００５０】
電源装置１６は、図７に示されるように、第１直流電源１６Ａと、第２直流電源１６Ｂと、発振部１６Ｃと、制御部１６Ｄと、スイッチ１６Ｅと、を備えている。第１直流電源１６Ａ、第２直流電源１６Ｂとしては、例えば、特開平１１−０６７２３６号公報、米国特許公開公報２００４／０１８５６６７Ａ１号公報、米国特許６８５５４４１号公報等に開示される薄型の電池等を用いることができる。発振部１６Ｃは、第２直流電源１６Ｂから入力される直流電圧を交流電圧に変換して出力するように構成されている。制御部１６Ｄは、交流電流を所定のタイミングで供給するためのタイマ機能を備えている。スイッチ１６Ｅは、第１直流電源１６Ａ、第２直流電源１６Ｂの一方側に設置され、これらと電源装置１６の外部との導通を接続／切断可能とされている。尚、イオントフォレーシス装置１０は、使用前においては、スイッチ１６Ｅにより第１直流電源１６Ａ、第２直流電源１６Ｂと電源装置１６の外部との導通が切断されている。第１直流電源１６Ａは、導電性塗料の塗膜等の導電部４４により作用側電極端子２２Ａに接続され、導電部４６により非作用側電極端子３２Ａに接続されている。又、発信部１６Ｃは、振動子１７に接続されている。
【００５１】
尚、電源装置１６は、第１直流電源１６Ａと第２の直流電源１６Ｂとを備えているが、第１直流電源１６Ａが第２の直流電源を兼ねる構成としてもよい。又、電源装置１６は、直流電流及び交流電流を供給するように構成されているが、直流電流を供給するための電源装置と交流電流を供給するための電源装置とを独立して設けてもよい。
【００５２】
次に、イオントフォレーシス装置１０の作用について説明する。
【００５３】
まず、イオントフォレーシス装置１０を生体等の薬物イオンの投与対象に当てる。この際、イオントフォレーシス装置１０の第１イオン交換膜３０及び第４イオン交換膜４０が患部又はその近傍に接触するように設定する。
【００５４】
次に、スイッチ１６Ｅにより、電源装置１６の第１直流電源１６Ａと作用側電極端子２２Ａとを導通させる。これにより、作用側電極構造体１２、非作用側電極構造体１４に直流電流が供給され、薬液保持部２８の薬物イオンが第１イオン交換膜３０を介して生体に投与される。尚、第２直流電源１６Ｂも制御部１６Ｄと導通するが、制御部１６Ｄは第２直流電源１６Ｂと発振部１６Ｃとの導通を切断状態に保持する。
【００５５】
このように作用側電極構造体１２、非作用側電極構造体１４に直流電流を通電することにより、薬液保持部２８の薬物イオンや第１電解液保持部２４内のイオンの濃度分布に偏りが生じたり、作用側電極２２の表面、第２イオン交換膜２６の表面、第１イオン交換膜３０の表面、第１イオン交換膜３０と生体との接触面等の界面において分極が生じ、これにより薬物イオンの効率的な投与が阻害されることがある。
【００５６】
これに対し、電源装置１６が振動子１７に交流電圧を印加することにより、第２イオン交換膜２６が全面において面方向に沿って回転振動する。この振動により、薬液保持部２８の薬物イオンの濃度分布の偏りや第１電解液保持部２４のイオンの濃度分布の偏りが充分に是正される。又、作用側電極２２の表面、第２イオン交換膜２６の表面、第１イオン交換膜３０の表面における界面分極も充分に是正される。
【００５７】
第２イオン交換膜２６は複数回に分けて断続的に振動させてもよいし、投与の途中で１回だけ振動させてもよい。又、薬液保持部２８の薬物イオンの濃度分布の偏りや第１電解液保持部２４のイオンの濃度分布の偏り、界面分極は、イオントフォレーシス装置１０を製造後長期間保存した場合には使用前であっても発生しうる。従って、例えば薬物イオンの投与開始直後に１回だけ第２イオン交換膜２６を振動させてもよい。
【００５８】
このように、イオンの濃度分布の偏りや界面分極を是正することにより薬物イオンを効率的に投与することができる。
【００５９】
又、イオントフォレーシス装置１０は、振動子１７がケース１３の外側に設置されているので構造が簡単であり、更に第２イオン交換膜２６が面方向に沿って振動する構成であるのでコンパクト化に寄与する。
【００６０】
尚、ケース１３の貫通孔１３Ａと第２イオン交換膜２６の突起部２６Ａとの間には隙間があるが、第１電解液保持部２４、薬液保持部２８は保水性を有する担体に含浸及び含有のいずれかの態様で保持されているので、第１電解液保持部２４中の電解液や、薬液保持部２８中の薬液の流出は防止又は実用上問題ないレベルに抑制される。
【００６１】
（第２実施形態例)
次に、本発明の第２実施形態例について説明する。
【００６２】
図８〜１２に示されるように、本第２実施形態例は、前記第１実施形態例に対し、作用側電極構造体１２が、所定の方向に凹凸が連続する、断面が波形の凹凸面を有し前記凹凸が連続する方向に進退動可能である第１の凹凸部５０と、断面が波形の凹凸面を有し該凹凸面が第１の凹凸部５０の凹凸面と噛み合うように設置された第２の凹凸部５２と、を備え、第１の凹凸部５０の凹凸面と第２の凹凸部５２の凹凸面とが擦れることにより、これら第１の凹凸部５０及び第２の凹凸部５２が振動するように構成されたことを特徴としている。尚、ケース１３に貫通孔１３Ａは形成されていない。他の構成は前記第１実施形態例と同様であるので図１〜図７と同一符号を用いることとして説明を省略する。
【００６３】
第１の凹凸部５０は、前記第１実施形態例の振動子１７と同様の例えばフッ化ポリビニリデン等の圧電性フィルムの両面に金属薄膜が積層されたフィルム状の部材であり前記凹凸が連続する方向に長い形状に成形されている。第１の凹凸部５０は、ケース１３の外周に沿うようにケース１３の外側に設置され、基端５０Ａにおいて第１イオン交換膜３０のベース部３０Ａに接着剤等で結合されている。
【００６４】
第１の凹凸部５０は、両面の金属薄膜に印加される電圧の大きさが変化することにより前記凹凸が連続する方向に伸縮するようになっている。即ち、第１の凹凸部５０は、該第１の凹凸部５０を前記凹凸が連続する方向に駆動するための振動子を兼ねている。
【００６５】
第２の凹凸部５２も、細長いフィルム状の部材で自身の凹凸が連続する方向に長い形状に成形されている。第２の凹凸部５２は、ケース１３の外周面に接着剤等で結合されている。尚、第２の凹凸部５２は伸縮しない。
【００６６】
本第２実施形態例では、図９及び図１０に示されるように第１の凹凸部５０が伸縮して第１の凹凸部５０の凹凸面と第２の凹凸部５２の凹凸面とが擦れることにより、高周波で薬液保持部２８の薬物イオンの濃度分布の偏りや第１電解液保持部２４のイオンの濃度分布の偏り、界面分極を抑制できる充分に大きな振動が得られる。特に、第１の凹凸部５０に連結された第１イオン交換膜３０には振動が効率良く伝播する。従って、薬物イオンを効率的に投与することができる。尚、駆動電圧に対する振動子（第１の凹凸部５０）の周波数応答性が鈍い場合でも、第１の凹凸部５０の凹凸面と第２の凹凸部５２の凹凸面とが擦れることにより高い周波数の振動が得られる。
【００６７】
又、第１の凹凸部５０の凹凸面及び第２の凹凸部５２の凹凸面の形状を適宜設計することにより、振動の周波数や振幅の大きさを調整することが可能である。
【００６８】
又、第１の凹凸部５０が自身を前記凹凸が連続する方向に駆動するための振動子を兼ねているので構造が簡単でコンパクトである。
【００６９】
尚、ケース１３に貫通孔１３Ａが形成されていないので、第１電解液保持部２４中の電解液や薬液保持部２８中の薬液はケース１３から流出しない。従って、第１電解液保持部２４は、電解液を液体状態で保持する構成としてもよい。又、第１電解液保持部２４は、このような電解液を含む塗料を作用側電極２２に塗布した構成としてもよい。この場合、電解質塗料には、塗料としての塗布性や製膜性を向上させるためにポリビニルアルコール、ポリアクリル酸、ポリアクリルアミド、ポリエチレングリコール等の親水性高分子が配合され、又、電解質塗料の粘度を調整するための水、エタノール、プロパノール等の溶媒が適当量配合される。更に、増粘剤、チキソ剤、消泡剤、顔料、香料、着色料等の適宜の追加的な成分を配合することもできる。同様に、薬液保持部２８も、薬物を液体状態で保持する構成としてもよい。又、薬物を含有する塗料を第２イオン交換膜２６に塗布した構成としてもよい。
【００７０】
（第３実施形態例)
次に、本発明の第３実施形態例について説明する。
【００７１】
図１３〜１６に示されるように、本第３実施形態例は、前記第１実施形態例に対し、作用側電極構造体１２が、所定の方向に凹凸が連続する、断面が波形の凹凸面を有し前記凹凸が連続する方向が第２イオン交換膜２６の振動方向に沿うように設置され、且つ、第２イオン交換膜２６の振動方向に進退動可能である前記第２実施形態例と同様の第１の凹凸部５０と、断面が波形の凹凸面を有し該凹凸面が第１の凹凸部５０の凹凸面と噛み合うようにケース１３の外側に設置され、且つ、第２イオン交換膜２６に連結された第２の凹凸部６０と、を有し、第１の凹凸部５０の凹凸面と第２の凹凸部６０の凹凸面とが擦れることにより、これら第１の凹凸部５０及び第２の凹凸部６０が振動すると共に第２イオン交換膜２６が振動するように構成されたことを特徴としている。他の構成は前記第１実施形態例と同様であるので図１〜図７と同一符号を用いることとして説明を省略する。又、第１の凹凸部５０は、前記第２実施形態例で説明したものと同様であるので第１の凹凸部５０の説明も省略する。
【００７２】
第２の凹凸部６０は、第２イオン交換膜２６の一部が凹凸形状に成形されたもので第２の凹凸部６０に一体に連結されており、ケース１３の貫通孔１３Ａからケース１３の外側に突出している。
【００７３】
本第３実施形態例では、第１の凹凸部５０が伸縮することにより、第１の凹凸部５０の凹凸面と第２の凹凸部６０の凹凸面とが擦れあって振動を発すると共に第２イオン交換膜２６も面方向に沿って全面において回転振動する。より詳細には、第１の凹凸部５０の凹凸面と第２の凹凸部６０の凹凸面とが擦れあうことで高周波の振動が発生し、この振動が第２イオン交換膜２６を厚さ方向に振動させると共に第２イオン交換膜２６は面方向にも回転振動する。又、第１の凹凸部５０に連結された第１イオン交換膜３０にも振動が効率良く伝播する。尚、駆動電圧に対する振動子（第１の凹凸部５０）の周波数応答性が鈍い場合でも、第１の凹凸部５０の凹凸面と第２の凹凸部５２の凹凸面とが擦れることにより高い周波数の振動が得られる。これらの振動の相乗効果により、薬液保持部２８の薬物イオンの濃度分布の偏りや第１電解液保持部２４のイオンの濃度分布の偏りが著しく是正される。又、作用側電極２２の表面、第２イオン交換膜２６の表面、第１イオン交換膜３０の表面における界面分極も著しく是正される。従って、薬物イオンを効率的に投与することができる。
【００７４】
又、第１の凹凸部５０の凹凸面及び第２の凹凸部６０の凹凸面の形状を適宜設計することにより、振動の周波数や振幅の大きさを調整することが可能である。
【００７５】
又、第１の凹凸部５０が第１の凹凸部５０を凹凸が連続する方向に駆動するための振動子を兼ねており、更に第２イオン交換膜２６が面方向に沿って振動する構成であるのでコンパクト化に寄与する。又、振動子を兼ねる第１の凹凸部５０がケース１３の外側に設置されているので構造が簡単である。
【００７６】
尚、ケース１３の貫通孔１３Ａと第２の凹凸部６０との間には隙間があるが、第１電解液保持部２４、薬液保持部２８は保水性を有する担体に含浸及び含有のいずれかの態様で保持されているので、第１電解液保持部２４中の電解液や、薬液保持部２８中の薬液の流出は防止又は実用上問題ないレベルに抑制される。
【００７７】
（第４実施形態例)
次に、本発明の第４実施形態例について説明する。
【００７８】
図１７〜２０に示されるように、本第４実施形態例は、前記第３実施形態例に対し、第１の凹凸部５０と第２の凹凸部６０とが、第１の凹凸部５０の先端近傍に結合され、第２の凹凸部６０の先端近傍の貫通孔２６Ｂを貫通する前記第１実施形態例と同様の連結部材２１で連結されたことを特徴としている。他の構成は前記第３実施形態例と同様であるので図１３〜図１６と同一符号を用いることとして説明を省略する。
【００７９】
本第４実施形態例でも前記第３実施形態例と同様に、第１の凹凸部５０が伸縮することにより、第１の凹凸部５０の凹凸面と第２の凹凸部６０の凹凸面とが擦れあって高周波の振動が発生し、この振動が第２イオン交換膜２６を厚さ方向に振動させると共に第２イオン交換膜２６は面方向にも回転振動する。又、第１の凹凸部５０に連結された第１イオン交換膜３０にも振動が効率良く伝播する。尚、駆動電圧に対する振動子（第１の凹凸部５０）の周波数応答性が鈍い場合でも、第１の凹凸部５０の凹凸面と第２の凹凸部６０の凹凸面とが擦れることにより高い周波数の振動が得られる。これらの振動の相乗効果により、薬液保持部２８の薬物イオンの濃度分布の偏りや第１電解液保持部２４のイオンの濃度分布の偏りが著しく是正される。又、作用側電極２２の表面、第２イオン交換膜２６の表面、第１イオン交換膜３０の表面における界面分極も著しく是正される。従って、薬物イオンを効率的に投与することができる。
【００８０】
尚、第１の凹凸部５０と第２の凹凸部６０は、先端近傍において連結部材２１で連結されているので、第１の凹凸部５０が伸縮しても両者の先端近傍の部分の相対的な位置関係は変化しないが、両者の凹凸の相対的な位置関係は変化するので、第１の凹凸部５０の凹凸面と第２の凹凸部６０の凹凸面とが擦れあって高周波の振動が発生する。
【００８１】
（第５実施形態例)
次に、本発明の第５実施形態例について説明する。
【００８２】
図２１に示されるように、本第５実施形態例は、前記第１実施形態例に対し、非作用側電極構造体１４も、該非作用側電極構造体１４のケース１５内を隔てるように設置された第３イオン交換膜３６が、その面方向に沿って振動可能であるようにケース１５内に保持され、第３イオン交換膜３６を面方向に加振可能である振動子１７がケース１５の外側に設置されたことを特徴としている。尚、第３イオン交換膜３６には突起部３６Ａが設けられている。他の構成は前記第１実施形態例と同様であるので図１〜図７と同一符号を用いることとして説明を省略する。
【００８３】
非作用側電極構造体１４の第３イオン交換膜３６が全面において面方向に沿って振動することにより、非作用側電極構造体１４においても、第２電解液保持部３４、第３電解液保持部３６のイオンの濃度分布の偏りが是正される。又、非作用側電極３２の表面、第３イオン交換膜３６の表面、第４イオン交換膜４０の表面における界面分極も是正される。従って、薬物イオンを一層効率的に投与することができる。
【００８４】
（第６実施形態例)
次に、本発明の第６実施形態例について説明する。
【００８５】
図２２に示されるように、本第６実施形態例は、前記第２実施形態例に対し、非作用側電極構造体１４も、断面が波形の凹凸面を有しケース１５の外側に設置された第１の凹凸部５０と、断面が波形の凹凸面を有し該凹凸面が第１の凹凸部５０の凹凸面と噛み合うように、且つ、その凹凸が連続する方向に振動可能であるようにケース１５の外側に設置された第２の凹凸部５２と、を備え、第１の凹凸部５０の凹凸面と第２の凹凸部５２の凹凸面とが擦れることにより、これら第１の凹凸部５０及び第２の凹凸部５２が振動するように構成されたことを特徴としている。他の構成は前記第２実施形態例と同様であるので図８〜図１２と同一符号を用いることとして説明を省略する。
【００８６】
このように非作用側電極構造体１４にも第１の凹凸部５０及び第２の凹凸部５２を備えることで、非作用側電極構造体１４においても高周波の大きな振動が得られ、第２電解液保持部３４、第３電解液保持部３６のイオンの濃度分布の偏りが充分に是正される。特に、第１の凹凸部５０に連結された第４イオン交換膜４０には振動が効率良く伝播する。又、非作用側電極３２の表面、第３イオン交換膜３６の表面、第４イオン交換膜４０の表面における界面分極も充分に是正される。従って、薬物イオンを一層効率的に投与することができる。
【００８７】
（第７実施形態例)
次に、本発明の第７実施形態例について説明する。
【００８８】
図２３に示されるように、本第７実施形態例は、前記第３実施形態例に対し、非作用側電極構造体１４も、断面が波形の凹凸面を有し凹凸が連続する方向が第３イオン交換膜３６の振動方向に沿うようにケース１５の外側に設置され、且つ、ケース１５側に備えられた第１の凹凸部５０と、断面が波形の凹凸面を有し該凹凸面が第１の凹凸部５０の凹凸面と噛み合うようにケース１５の外側に設置され、且つ、第３イオン交換膜３６側に備えられた第２の凹凸部６０と、を有し、第１の凹凸部５０の凹凸面と第２の凹凸部６０の凹凸面とが擦れることにより、これら第１の凹凸部５０及び第２の凹凸部６０が振動すると共に第３イオン交換膜３６が振動するように構成されたことを特徴としている。他の構成は前記第３実施形態例と同様であるので図１３〜図１６と同一符号を用いることとして説明を省略する。
【００８９】
このように非作用側電極構造体１４にも第１の凹凸部５０及び第２の凹凸部６０を備えることで、第１の凹凸部５０が伸縮することにより、第１の凹凸部５０の凹凸面と第２の凹凸部６０の凹凸面とが擦れあって高周波の振動が発生し、この振動が第３イオン交換膜３６を厚さ方向に振動させると共に第３イオン交換膜３６は面方向にも回転振動する。又、第１の凹凸部５０に連結された第４イオン交換膜４０にも振動が効率良く伝播する。これらの振動の相乗効果により、第２電解液保持部３４、第３電解液保持部３８のイオンの濃度分布の偏りが著しく是正される。又、非作用側電極３２の表面、第３イオン交換膜３６の表面、第４イオン交換膜４０の表面における界面分極も著しく是正される。従って、薬物イオンを一層効率的に投与することができる。
【００９０】
（第８実施形態例)
次に、本発明の第８実施形態例について説明する。
【００９１】
図２４に示されるように、本第８実施形態例は、前記第４実施形態例に対し、非作用側電極構造体１４も、断面が波形の凹凸面を有し凹凸が連続する方向が第３イオン交換膜３６の振動方向に沿うようにケース１５の外側に設置され、且つ、ケース１５側に備えられた第１の凹凸部５０と、断面が波形の凹凸面を有し該凹凸面が第１の凹凸部５０の凹凸面と噛み合うようにケース１５の外側に設置され、且つ、第３イオン交換膜３６側に備えられた第２の凹凸部６０と、を有し、これらが先端近傍において連結部材２１で連結され、第１の凹凸部５０の凹凸面と第２の凹凸部６０の凹凸面とが擦れることにより、これら第１の凹凸部５０及び第２の凹凸部６０が振動すると共に第３イオン交換膜３６が振動するように構成されたことを特徴としている。他の構成は前記第４実施形態例と同様であるので図１７〜図２０と同一符号を用いることとして説明を省略する。
【００９２】
本第８実施形態例も前記第７実施形態例と同様に、非作用側電極構造体１４にも第１の凹凸部５０及び第２の凹凸部６０を備えることで、第１の凹凸部５０の凹凸面と第２の凹凸部６０の凹凸面とが擦れあって高周波の振動が発生し、この振動が第３イオン交換膜３６を厚さ方向に振動させると共に第３イオン交換膜３６は面方向にも回転振動する。又、第１の凹凸部５０に連結された第４イオン交換膜４０にも振動が効率良く伝播する。これらの振動の相乗効果により、第２電解液保持部３４、第３電解液保持部３８のイオンの濃度分布の偏りが著しく是正される。又、非作用側電極３２の表面、第３イオン交換膜３６の表面、第４イオン交換膜４０の表面における界面分極も著しく是正される。従って、薬物イオンを一層効率的に投与することができる。
【００９３】
（第９実施形態例)
次に、本発明の第９実施形態例について説明する。
【００９４】
図２５に示されるように、本第９実施形態例は、前記第１実施形態例に対し、作用側電極構造体１２のケース７０が、断面が略長方形の角筒状であり、第２イオン交換膜７２が往復直線運動して振動するように構成されている。他の構成は前記第１実施形態例と同様であるので図１〜図７と同一符号を用いることとして説明を省略する。
【００９５】
第２イオン交換膜７２は、略長方形で振動方向の辺の長さがケース７０の内周の辺の長さよりも短く、これにより面方向に沿って振動可能となっている。
【００９６】
本第９実施形態例も前記第１実施形態例と同様に、第２イオン交換膜２６が面方向に沿って全面において振動することにより、薬液保持部２８の薬物イオンの濃度分布の偏りや第１電解液保持部２４のイオンの濃度分布の偏りが是正される。又、作用側電極２２の表面、第２イオン交換膜２６の表面、第１イオン交換膜３０の表面における界面分極も是正される。
【００９７】
尚、前記第２〜第８実施形態例においても同様に、断面が略長方形の角筒状のケース及び略長方形のイオン交換膜を備える構成としてもよい。第５〜第８実施形態例においては、作用側電極構造体１２及び非作用側電極構造体１４の両方が、断面が略長方形の角筒状のケース及び略長方形のイオン交換膜を備えてもよく、いずれか一方だけが、断面が略長方形の角筒状のケース及び略長方形のイオン交換膜を備えてもよい。
【００９８】
（第１０実施形態例)
次に、本発明の第１０実施形態例について説明する。
【００９９】
図２６に示されるように、本第１０実施形態例は、前記第１実施形態例に対し、作用側電極構造体１２が、ケース１３を第１のケースとして、この第１のケース１３の貫通孔１３Ａを外部から遮蔽し、振動子１７及び第２イオン交換膜２６の突起部２６Ａを収容する第２のケース８０を備えることを特徴としている。他の構成は前記第１実施形態例と同様であるので図１〜図７と同一符号を用いることとして説明を省略する。
【０１００】
このように、第２のケース８０を備えることで、振動子１７及び第２イオン交換膜２６の突起部２６Ａを保護することができる。
【０１０１】
又、仮に第１電解液保持部２４中の電解液や、薬液保持部２８中の薬液が第１のケース１３から流出しても、このように、第２のケース８０を備えることでこれらが外部に流出することを確実に防止できる。
【０１０２】
尚、前記第３〜第５実施形態例、第７及び第８実施形態例においても同様に第２のケース８０を備える構成としてもよい。第５実施形態例、第７及び第８実施形態例においては、作用側電極構造体１２及び非作用側電極構造体１４の両方に第２のケース８０を備えてもよく、いずれか一方だけに第２のケース８０を備えてもよい。
【０１０３】
又、前記第１〜第１０実施形態例において、振動子１７の材料としてフッ化ポリビニリデン等の圧電性フィルムの両面に金属薄膜が積層されたフィルム状の部材が例示されているが、振動子の材料としては例えば薄膜状のセラミック等の他の圧電性材料を用いてもよい。
【０１０４】
又、前記第２、第３、第４、第６、第７及び第８実施形態例において、第１の凹凸部５０が振動子を兼ねているが、第１の凹凸部５０と別に第１の凹凸部５０をその凹凸面に沿う方向に駆動するための振動子を備えてもよい。
【０１０５】
尚、駆動電圧に対する振動子の周波数応答性が鈍い場合でも、第１の凹凸部５０の凹凸面と第２の凹凸部５２の凹凸面とが擦れることにより高い周波数の振動が得られる。
【０１０６】
又、前記第１〜第１０実施形態例において、イオントフォレーシス装置１０は、電源装置１６を備えているが、イオントフォレーシス装置は電源装置を備えていない構成とし、このイオントフォレーシス装置に外部電源を接続して薬物イオンの投与を行ってもよい。
【図面の簡単な説明】
【０１０７】
【図１】本発明の第１実施形態例に係るイオントフォレーシス装置の概略構造を示す平面図
【図２】同側面図
【図３】同イオントフォレーシス装置の作用側電極及び非作用側電極の構造を拡大して示す断面図
【図４】図３におけるIVから見た拡大矢視図
【図５】図３におけるV−V線に沿う断面図
【図６】図３におけるVI−VI線に沿う断面図
【図７】同イオントフォレーシス装置の電源装置の構成を模式的に示すブロック図
【図８】本発明の第２実施形態例に係るイオントフォレーシス装置の構造を示す断面図
【図９】同イオントフォレーシス装置の凹凸部の構造を拡大して示す側面図
【図１０】同凹凸部の動作を拡大して示す側面図
【図１１】図８におけるXI−XI線に沿う断面図
【図１２】図８におけるXII−XII線に沿う断面図
【図１３】本発明の第３実施形態例に係るイオントフォレーシス装置の構造を示す断面図
【図１４】図１３におけるXIVから見た拡大矢視図
【図１５】図１３におけるXV−XV線に沿う断面図
【図１６】図１３におけるXVI−XVI線に沿う断面図
【図１７】本発明の第４実施形態例に係るイオントフォレーシス装置の構造を示す断面図
【図１８】図１７におけるXVIIIから見た拡大矢視図
【図１９】図１７におけるXIX線に沿う断面図
【図２０】図１７におけるXX線に沿う断面図
【図２１】本発明の第５実施形態例に係るイオントフォレーシス装置の構造を示す断面図
【図２２】本発明の第６実施形態例に係るイオントフォレーシス装置の構造を示す断面図
【図２３】本発明の第７実施形態例に係るイオントフォレーシス装置の構造を示す断面図
【図２４】本発明の第８実施形態例に係るイオントフォレーシス装置の構造を示す断面図
【図２５】本発明の第９実施形態例に係るイオントフォレーシス装置の構造を示す断面図
【図２６】本発明の第１０実施形態例に係るイオントフォレーシス装置の構造を示す断面図
【符号の説明】
【０１０８】
１０…イオントフォレーシス装置
１２…作用側電極構造体
１３、１５、７０…ケース
１３Ａ…貫通孔
１４…非作用側電極構造体
１６…電源装置
１７…振動子
２２…作用側電極
２４…第１電解液保持部
２６、７２…第２イオン交換膜
２６Ａ、３６Ａ…突起部
２８…薬液保持部
３０…第１イオン交換膜
３２…非作用側電極
３４…第２電解液保持部
３６…第３イオン交換膜
３８…第３電解液保持部
４０…第４イオン交換膜
５０…第１の凹凸部
５２、６０…第２の凹凸部
８０…第２のケース
【図１】
2007195673.tif 000003
【図２】
2007195673.tif 000004
【図３】
2007195673.tif 000005
【図４】
2007195673.tif 000006
【図５】
2007195673.tif 000007
【図６】
2007195673.tif 000008
【図７】
2007195673.tif 000009
【図８】
2007195673.tif 000010
【図９】
2007195673.tif 000011
【図１０】
2007195673.tif 000012
【図１１】
2007195673.tif 000013
【図１２】
2007195673.tif 000014
【図１３】
2007195673.tif 000015
【図１４】
2007195673.tif 000016
【図１５】
2007195673.tif 000017
【図１６】
2007195673.tif 000018
【図１７】
2007195673.tif 000019
【図１８】
2007195673.tif 000020
【図１９】
2007195673.tif 000021
【図２０】
2007195673.tif 000022
【図２１】
2007195673.tif 000023
【図２２】
2007195673.tif 000024
【図２３】
2007195673.tif 000025
【図２４】
2007195673.tif 000026
【図２５】
2007195673.tif 000027
【図２６】
2007195673.tif 000028